(57)【要約】【課題】妨害に強い電子チューナを実現する。【解決手段】チューナの入力同調回路において、入力端子１００とグランドとの間に挿入された第３のインダクタ１０５と、この第３のインダクタ１０５に直列に接続された可変容量ダイオード１１０とによるトラップ周波数を、スイッチ１０６のオフ時に周波数を同調型フィルタの共振周波数より高くし、スイッチ１０６のオン時に同調型フィルタの共振周波数よりも低い周波数としたものである。これにより、トラップを構成する可変容量ダイオード１１０は第３のインダクタ１０５とグランド間に挿入された構成としているので、高い周波数域での入力回路の減衰特性が悪くなることはない。【選択図】  図１
2004357174.tif 000002
【特許請求の範囲】
【請求項１】
少なくともＶＨＦローバンドとＶＨＦハイバンドの周波数の信号が供給される入力端子と、この入力端子に接続された同調型フィルタと、この同調型フィルタの出力が接続された出力端子とから構成された電子チューナの入力回路であって、前記同調型フィルタは前記入力端子に一端が接続された第１のインダクタと、この第１のインダクタの他端と前記出力端子との間に挿入された第２のインダクタと、この第２のインダクタの前記出力端子側とグランドとの間に挿入された第１の可変容量ダイオードと、この第１の可変容量ダイオードのカソード端子に接続された制御端子と、前記入力端子とグランドとの間に挿入された第３のインダクタとキャパシタとの直列接続体と、この直列接続体の前記入力端子側と前記第１のインダクタの他端との間に挿入されたスイッチとを備え、前記スイッチをオフとした場合には前記同調型フィルタの共振周波数はＶＨＦローバンドの周波数にするとともに、前記直列接続体によって形成されるトラップのトラップ周波数を前記同調型フィルタの共振周波数より高くし、前記スイッチをオンとした場合には前記同調型フィルタの共振周波数はＶＨＦハイバンドの周波数とするとともに前記トラップのトラップ周波数を前記同調型フィルタの共振周波数よりも低い周波数とした電子チューナの入力回路。
【請求項２】
直列接続体と入力端子との間に微少インダクタ値を有する第４のインダクタを挿入した請求項１に記載の電子チューナの入力回路。
【請求項３】
キャパシタは第２の可変容量ダイオードとした請求項１に記載の電子チューナの入力回路。
【請求項４】
スイッチがオフである場合のトラップのトラップ周波数は、受信信号のイメージ妨害となる周波数と略等しくした請求項３に記載の電子チューナの入力回路。
【請求項５】
第２の可変容量ダイオードのカソード端子は、制御端子に接続された請求項３に記載の電子チューナの入力回路。
【請求項６】
制御端子と第１の可変容量ダイオードとの間には第１の抵抗が挿入されると共に、前記制御端子と第２の可変容量ダイオードとの間には第２の抵抗が挿入された請求項５に記載の電子チューナの入力回路。
【請求項７】
少なくともＶＨＦローバンドとＶＨＦハイバンドの周波数の信号が供給される入力端子と、この入力端子にその一端が接続された第１のインダクタと、この第１のインダクタの他端に出力される信号がその一端側に供給される第２のインダクタと、この第２のインダクタの他端に接続された出力端子と、前記第２のインダクタの他端とグランドとの間に挿入された可変容量ダイオードと、この可変容量ダイオードのカソード端子に接続された制御端子と、前記入力端子とグランドとの間に挿入された第３のインダクタと、この第３のインダクタの入力端子側と前記第２のインダクタの一端側との間に挿入されたスイッチとを備え、前記第１のインダクタの他端と前記第２のインダクタの一端との間には第４のインダクタとキャパシタとの並列接続体が挿入されるとともに、この並列接続体と前記第１のインダクタとの直列接続体が前記スイッチと並列に接続され、前記ＶＨＦローバンド受信時には前記スイッチをオフとするとともに前記ＶＨＦハイバンド受信時には前記スイッチをオンとする電子チューナの入力回路。
【請求項８】
並列接続体の共振周波数はＶＨＦローバンドの周波数の略中心の周波数の信号を受信時にイメージ妨害となる周波数とした請求項７に記載の電子チューナの入力回路。
【請求項９】
少なくともＶＨＦローバンドとＶＨＦハイバンドの周波数の信号が供給される入力端子と、この入力端子に接続された同調型フィルタと、この同調型フィルタの出力が接続された出力端子とから構成された電子チューナの入力回路であって、前記同調型フィルタは前記入力端子に一端が接続された第１のインダクタと、この第１のインダクタの他端と前記出力端子との間に挿入された第２のインダクタと、この第２のインダクタの前記出力端子側とグランドとの間に挿入された第１の可変容量ダイオードと、この第１の可変容量ダイオードのカソード端子に接続された制御端子と、前記入力端子とグランドとの間に挿入された第３のインダクタとキャパシタとの直列接続体とを備え、該キャパシタは前記直列接続体の前記入力端子側に挿入されるとともに前記キャパシタと前記第３のインダクタとの接続点と前記第１のインダクタの他端との間に挿入されたスイッチとを有し、該スイッチをオフとした場合には前記同調型フィルタの共振周波数はＶＨＦローバンドの周波数にするとともに、前記直列接続体によって形成されるトラップのトラップ周波数を前記同調型フィルタの共振周波数より高くし、前記スイッチをオンとした場合には前記同調型フィルタの共振周波数はＶＨＦハイバンドの周波数とするとともに前記キャパシタによるトラップ周波数を前記同調型フィルタの共振周波数よりも低い周波数とした電子チューナの入力回路。
【請求項１０】
直列接続体と入力端子との間に微少インダクタ値を有する第４のインダクタを挿入した請求項９に記載の電子チューナの入力回路。
【請求項１１】
キャパシタは第２の可変容量ダイオードとした請求項９に記載の電子チューナの入力回路。
【請求項１２】
スイッチがオフである場合のトラップのトラップ周波数は、受信信号のイメージ妨害となる周波数と略等しくした請求項１１に記載の電子チューナの入力回路。
【請求項１３】
第２の可変容量ダイオードのカソード端子は、制御端子に接続された請求項１１に記載の電子チューナの入力回路。
【請求項１４】
制御端子と第１の可変容量ダイオードとの間には第１の抵抗が挿入されると共に、前記制御端子と第２の可変容量ダイオードとの間には第２の抵抗が挿入された請求項１３に記載の電子チューナの入力回路。
【発明の詳細な説明】
【０００１】
【発明の属する技術分野】
本発明は、広帯域な高周波信号を受信する電子チューナの入力回路に関するものである。
【０００２】
【従来の技術】
以下、従来の電子チューナについて図を用いて説明する。図１５は従来の電子チューナの入力回路の回路図である。図１５において、１は約５０ＭＨｚから約８６０ＭＨｚのテレビ放送の高周波信号が入力される入力端子である。２は、この入力端子１に接続されたインダクタである。３はこのインダクタ２の出力とグランドとの間に接続されたインダクタであり、このインダクタ３と並列に可変容量ダイオード４が接続されている。この可変容量ダイオード４のカソード側の端子４ａに制御端子５が抵抗６を介して接続されている。そしてこれらのインダクタ３と可変容量ダイオード４及び制御端子５とによって同調型フィルタ７を構成している。
【０００３】
そしてインダクタ２の出力は可変容量ダイオード８が直接に接続され、この可変容量ダイオード８の出力は出力端子９へと接続される。つまり、入力端子１と出力端子９との間にはインダクタ２と可変容量ダイオード８との直列接続体１０が挿入され、この直列接続体１０を受信信号が通過する。
【０００４】
また、直列接続体１０と並列に第３の可変容量ダイオード１１とキャパシタ１２との直列接続体１３が接続され、制御端子５へ供給する電圧を可変容量ダイオード４、可変容量ダイオード８及び可変容量ダイオード１１に供給し、それらの容量を変化させることによって受信周波数に応じイメージ妨害となる周波数の信号を抑圧するものであった。
【０００５】
なお、この出願の発明に関連する先行技術文献情報としては、例えば、特許文献１が知られている。
【０００６】
【特許文献１】
特開平６−２０４８０３号公報
【０００７】
【発明が解決しようとする課題】
しかしながら、このような従来の電子チューナの入力回路においては、受信周波数に応じたイメージ周波数を減衰させるために、インダクタ２と可変容量ダイオード８との直列接続体１０と並列に可変容量ダイオード１１とキャパシタ１２との直列接続体１３を有するので、この直列接続体１３は周波数が高くなるとインピーダンスが小さくなる。
【０００８】
ここで図１６は従来の電子チューナの入力回路の周波数に対する通過特性を示したものであり、横軸には周波数１５を、縦軸は減衰特性１６を示している。つまり図１５における従来の電子チューナの入力回路では、ＶＨＦハイバンド帯１７の中でも高い周波数１８やＵＨＦ帯１９の周波数の信号の減衰量は小さくなり、それらの信号は通過し易くなる。従ってそのような高い周波数の信号が出力端子９から出力され、この入力回路の下流にある混合器などによって妨害を発生してしまうという問題を有していた。
【０００９】
そこで本発明は、この問題を解決したもので、妨害排除能力の高い電子チューナを提供することを目的としたものである。
【００１０】
【課題を解決するための手段】
この目的を達成するために本発明の電子チューナは、入力端子とグランドとの間に挿入された第３のインダクタとキャパシタとの直列接続体と、この直列接続体の前記入力端子側と前記第１のインダクタの他端との間に挿入されたスイッチとを備え、前記スイッチをオフとした場合には前記同調型フィルタの共振周波数はＶＨＦローバンドの周波数にするとともに、前記直列接続体によって形成されるトラップのトラップ周波数を前記同調型フィルタの共振周波数より高くし、前記スイッチをオンとした場合には前記同調型フィルタの共振周波数はＶＨＦハイバンドの周波数とするとともに前記トラップのトラップ周波数を前記同調型フィルタの共振周波数よりも低い周波数としたものである。
【００１１】
これにより、受信信号が通過する経路にはコンデンサを有さないでトラップを構成しているので、高い周波数域での入力回路の減衰特性が悪くなることはない。なお、コンデンサを有していないので同調型フィルタの同調周波数の高い側の周波数に対しての減衰特性も急峻とすることができる。従って、妨害信号等を充分に減衰することができるので、妨害に強い電子チューナを実現することができる。
【００１２】
また、ＶＨＦハイバンド受信時には受信信号の周波数よりも低い周波数にトラップが入ることとなるので、さらに妨害に強い電子チューナを実現することができる。
【００１３】
【発明の実施の形態】
本発明の請求項１に記載の発明は、少なくともＶＨＦローバンドとＶＨＦハイバンドの周波数の信号が供給される入力端子と、この入力端子に接続された同調型フィルタと、この同調型フィルタの出力が接続された出力端子とから構成された電子チューナの入力回路であって、前記同調型フィルタは前記入力端子に一端が接続された第１のインダクタと、この第１のインダクタの他端と前記出力端子との間に挿入された第２のインダクタと、この第２のインダクタの前記出力端子側とグランドとの間に挿入された第１の可変容量ダイオードと、この第１の可変容量ダイオードのカソード端子に接続された制御端子と、前記入力端子とグランドとの間に挿入された第３のインダクタとキャパシタとの直列接続体と、この直列接続体の前記入力端子側と前記第１のインダクタの他端との間に挿入されたスイッチとを備え、前記スイッチをオフとした場合には前記同調型フィルタの共振周波数はＶＨＦローバンドの周波数にするとともに、前記直列接続体によって形成されるトラップのトラップ周波数を前記同調型フィルタの共振周波数より高くし、前記スイッチをオンとした場合には前記同調型フィルタの共振周波数はＶＨＦハイバンドの周波数とするとともに前記トラップのトラップ周波数を前記同調型フィルタの共振周波数よりも低い周波数とした電子チューナの入力回路であり、これにより受信信号が通過する経路にはコンデンサを有さないでトラップを構成しているので、高い周波数域での入力回路の減衰特性が悪くなることはない。なお、コンデンサを有していないので同調型フィルタの同調周波数の高い側の周波数に対しての減衰特性も急峻とすることができる。従って、妨害信号等を充分に減衰することができるので、妨害に強い電子チューナを実現することができる。
【００１４】
また、ＶＨＦハイバンド受信時には受信信号の周波数よりも低い周波数にトラップが入ることとなるので、さらに妨害に強い電子チューナを実現することができる。
【００１５】
請求項２に記載の発明は、直列接続体と入力端子との間に微少インダクタ値を有する第４のインダクタを挿入した請求項１に記載の電子チューナの入力回路であり、第４のインダクタのインダクタンスは小さいので、スイッチオン時に第１のインダクタ側へは信号が流れ難くすることができるので、不要な信号が第１のインダクタ側から通過することは少なくなる。
【００１６】
請求項３に記載の発明におけるキャパシタは第２の可変容量ダイオードとした請求項１に記載の電子チューナの入力回路であり、これによりトラップの周波数を受信する周波数に応じて変化させることができる。
【００１７】
請求項４に記載の発明は、スイッチがオフである場合のトラップのトラップ周波数は、受信信号のイメージ妨害となる周波数と略等しくした請求項３に記載の電子チューナの入力回路であり、これにより特に減衰し難いＶＨＦローバンド帯の信号受信時のイメージ妨害を抑圧することができる。
【００１８】
請求項５に記載の発明における第２の可変容量ダイオードのカソード端子は、制御端子に接続された請求項３に記載の電子チューナの入力回路であり、これにより第１の可変容量ダイオードの容量と連動して第２の可変容量ダイオードの容量を変化させることができる。従って、同調型フィルタの同調周波数に連動してトラップの周波数は変化することとなるので、受信する信号の周波数に応じた周波数を減衰させることができる。
【００１９】
請求項６に記載の発明は、制御端子と第１の可変容量ダイオードとの間には第１の抵抗が挿入されると共に、前記制御端子と第２の可変容量ダイオードとの間には第２の抵抗が挿入された請求項５に記載の電子チューナの入力回路であり、これによりこれらの抵抗の値を適宜設定することによって第１の可変容量ダイオードと第２の可変容量ダイオードとの容量を適宜設定することができる。
【００２０】
請求項７に記載の発明は、少なくともＶＨＦローバンドとＶＨＦハイバンドの周波数の信号が供給される入力端子と、この入力端子にその一端が接続された第１のインダクタと、この第１のインダクタの他端に出力される信号がその一端側に供給される第２のインダクタと、この第２のインダクタの他端に接続された出力端子と、前記第２のインダクタの他端とグランドとの間に挿入された可変容量ダイオードと、この可変容量ダイオードのカソード端子に接続された制御端子と、前記入力端子とグランドとの間に挿入された第３のインダクタと、この第３のインダクタの入力端子側と前記第２のインダクタの一端側との間に挿入されたスイッチとを備え、前記第１のインダクタの他端と前記第２のインダクタの一端との間には第４のインダクタとキャパシタとの並列接続体が挿入されるとともに、この並列接続体と前記第１のインダクタとの直列接続体が前記スイッチと並列に接続され、前記ＶＨＦローバンド受信時には前記スイッチをオフとするとともに前記ＶＨＦハイバンド受信時には前記スイッチをオンとする電子チューナの入力回路であり、これによりスイッチをオフの状態においてトラップが有効となる。一方、スイッチオンの状態では、信号は第１のインダクタ側へ流れ難くなり、並列接続によるトラップは存在しない状態と同じとなるので、ＶＨＦハイバンド受信時に希望信号を抑圧するようなことはなくなる。
【００２１】
請求項８に記載の発明は、並列接続体の共振周波数はＶＨＦローバンドの周波数の略中心の周波数の信号を受信時にイメージ妨害となる周波数とした請求項７に記載の電子チューナの入力回路であり、これによりＶＨＦローバンドを受信時のイメージ妨害を改善することができる。
【００２２】
請求項９に記載の発明は、少なくともＶＨＦローバンドとＶＨＦハイバンドの周波数の信号が供給される入力端子と、この入力端子に接続された同調型フィルタと、この同調型フィルタの出力が接続された出力端子とから構成された電子チューナの入力回路であって、前記同調型フィルタは前記入力端子に一端が接続された第１のインダクタと、この第１のインダクタの他端と前記出力端子との間に挿入された第２のインダクタと、この第２のインダクタの前記出力端子側とグランドとの間に挿入された第１の可変容量ダイオードと、この第１の可変容量ダイオードのカソード端子に接続された制御端子と、前記入力端子とグランドとの間に挿入された第３のインダクタとキャパシタとの直列接続体とを備え、該キャパシタは前記直列接続体の前記入力端子側に挿入されるとともに前記キャパシタと前記第３のインダクタとの接続点と前記第１のインダクタの他端との間に挿入されたスイッチとを有し、該スイッチをオフとした場合には前記同調型フィルタの共振周波数はＶＨＦローバンドの周波数にするとともに、前記直列接続体によって形成されるトラップのトラップ周波数を前記同調型フィルタの共振周波数より高くし、前記スイッチをオンとした場合には前記同調型フィルタの共振周波数はＶＨＦハイバンドの周波数とするとともに前記キャパシタによるトラップ周波数を前記同調型フィルタの共振周波数よりも低い周波数とした電子チューナの入力回路であり、これにより受信信号が通過する経路にはコンデンサのみで構成された経路を有さないので、高い周波数域での入力回路の減衰特性が悪くなることはない。従って、妨害信号等を充分に減衰することができるので、妨害に強い電子チューナを実現することができる。
【００２３】
また、ＶＨＦハイバンド受信時にはＶＨＦ受信時のトラップ周波数よりも低い周波数にトラップが入ることとなるので、ＶＨＦハイバンド受信時にＶＨＦローバンドの放送信号の周波数近傍にトラップを入れることができるので、このようなＶＨＦハイバンド受信時にＶＨＦローバンドの放送信号により発生する妨害に対して強い電子チューナを実現することができる。
【００２４】
請求項１０に記載の発明は、直列接続体と入力端子との間に微少インダクタ値を有する第４のインダクタを挿入した請求項９に記載の電子チューナの入力回路であり、これにより第４のインダクタのインダクタンスは小さいので、スイッチオン時に第１のインダクタ側へは信号が流れ難くすることができるので、不要な信号が第１のインダクタ側から通過することは少なくなる。
【００２５】
請求項１１に記載の発明におけるキャパシタは第２の可変容量ダイオードとした請求項９に記載の電子チューナの入力回路であり、これによりトラップの周波数を受信する周波数に応じて変化させることができる。
【００２６】
請求項１２に記載の発明は、スイッチがオフである場合のトラップのトラップ周波数は、受信信号のイメージ妨害となる周波数と略等しくした請求項１１に記載の電子チューナの入力回路であり、これにより特に減衰し難いＶＨＦローバンド帯の信号受信時のイメージ妨害を抑圧することができる。
【００２７】
請求項１３に記載の発明における第２の可変容量ダイオードのカソード端子は、制御端子に接続された請求項１１に記載の電子チューナの入力回路であり、これにより第１の可変容量ダイオードの容量と連動して第２の可変容量ダイオードの容量を変化させることができる。従って、同調型フィルタの同調周波数に連動してトラップの周波数は変化することとなるので、受信する信号の周波数に応じた周波数を減衰させることができる。
【００２８】
請求項１４に記載の発明は、制御端子と第１の可変容量ダイオードとの間には第１の抵抗が挿入されると共に、前記制御端子と第２の可変容量ダイオードとの間には第２の抵抗が挿入された請求項１３に記載の電子チューナの入力回路であり、これによりこれらの抵抗の値を適宜設定することによって第１の可変容量ダイオードと第２の可変容量ダイオードとの容量を適宜設定することができる。
【００２９】
（実施の形態１）
以下、本実施の形態１について図面を用いて説明する。図２は、本実施の形態１における電子チューナの入力回路を用いた電子チューナのブロック図である。
【００３０】
図２において、２０は、約５０ＭＨｚから約８６０ＭＨｚのテレビ放送の高周波信号が入力される入力端子である。２１は、入力端子２０に接続された入力フィルタである。本実施の形態１においてはこの入力フィルタ２１は、インダクタと可変容量ダイオードが並列接続された一組の同調回路をひとつだけ有した回路（以降単同調回路と言う）によって構成されたものであり、この可変容量ダイオードに供給する電圧を変化させることによってその同調周波数を可変するものである。
【００３１】
このような電子チューナで希望チャンネルを受信する場合には、入力フィルタ２１の同調周波数を希望チャンネルの周波数と略同じ周波数となるように可変容量ダイオードへの電圧を供給することによって、希望チャンネルの信号以外の信号を減衰させることができる。
【００３２】
２２は、入力フィルタ２１の出力が接続された高周波増幅器であり、入力フィルタ２１を通過した高周波信号を増幅するものである。この高周波増幅器２２はその制御端子２２ａに加える制御電圧によって利得を可変させることができる可変利得増幅器である。
【００３３】
このように高周波増幅器２２が挿入されているので、下流にＮＦの悪いデバイスを用いてもＮＦの良い電子チューナを実現することができる。また、高周波増幅器２２の上流に入力フィルタ２１があるので、高周波増幅器２２に入力される不要な信号を除去することができる。
【００３４】
ここで、高周波増幅器２２へ入力される信号の入力レベルは、高周波増幅器２２が飽和しない信号レベルとすることが重要である。つまり、高周波増幅器２２ではこの高周波増幅器２２が飽和するような高いレベルの信号は歪んでしまい、高調波等の不要な信号を発生してしまう。従って、入力フィルタ２１では、希望信号以外の信号を高周波増幅器２２が飽和しないようなレベルとなるように減衰させることが重要である。入力フィルタ２１は単同調回路であるため同調周波数の上側周波数と下側周波数の両方の減衰特性が得られる。
【００３５】
２３は、高周波増幅器２２の出力が接続された第２のフィルタであり、このフィルタ２３は、２組の同調回路を有した複同調回路型のバンドパスフィルタである。
【００３６】
２４はフィルタ２３の出力が接続された不平衡・平衡変換器であり、この回路によって不平衡回路から平衡回路へと変換している。本来全ての回路を平衡回路で形成し、それらを平衡に接続すれば、外部からの妨害信号の飛び込み等に対して妨害排除能力を向上させることができる。しかしながら、入力フィルタ２１やこのフィルタ２３を平衡とするためには、それらのフィルタをそれぞれ２組用いることが必要となるがディスクリート部品で形成した場合夫々の回路の平衡性を保つ事は難しく、また高価となるので、フィルタ２３の後で平衡回路へ変換している。
【００３７】
２６は、不平衡・平衡変換器２４の出力が接続されるとともに、平衡回路で形成されたダブルバランスドミキサ（以降ＤＢＭと言う）であり、このＤＢＭ２６は平衡回路で形成されているので、ミキサの歪み特性を向上することができ、ミキサにおいて妨害が生じにくくなる。
【００３８】
このような構成を有したＤＢＭ２６によって、可変周波数局部発振器３０の出力信号と希望チャンネルの信号とを混合し、希望チャンネルの信号を４５．７５ＭＨｚの中間周波信号へと周波数変換を行っている。なお、本実施の形態１における可変周波数局部発振器３０の発振周波数は、希望チャンネル信号より中間周波信号の周波数（以降中間周波数と言う）だけ高い周波数とする上側ヘテロダイン方式としている。
【００３９】
３１は、ＤＢＭ２６の出力が接続された平衡・不平衡変換回路である。この平衡・不平衡変換回路３１によって不平衡回路へと変換している。そしてこの平衡・不平衡変換回路３１の出力が中間周波フィルタ３２に接続される。本実施の形態において、中間周波フィルタ３２は、その通過帯域の中心を略中間周波数とし、この中間周波数より略１チャンネルの周波数帯域である６ＭＨｚの半分の周波数（３ＭＨｚ）以上離れた信号を減衰させるものである。
【００４０】
なお、中間周波フィルタ３２は不平衡であるので、この中間周波フィルタ３２の前に平衡・不平衡変換回路３１を設けている。そして、３３は中間周波フィルタ３２の出力が接続された出力端子である。この中間周波フィルタ３２は歪み特性を向上させるために平衡で構成することもあり、その場合平衡・不平衡変換回路３１はバッファ回路として動作させる。なお、周波数可変局部発振器３０にはＰＬＬ回路３４がループ接続されている。
【００４１】
次に本実施の形態１における電子チューナの入力回路について詳細に説明する。図１は、本実施の形態１における入力回路の回路図である。図１において、１００は入力端子であり、１０１はこの入力端子１００に接続されたインダクタである。
【００４２】
１０２はインダクタ１０１の出力が接続されたインダクタであり、このインダクタ１０２の出力の一方には出力端子１０３が接続され、他方は可変容量ダイオード１０４を介してグランドに接続されている。なお、可変容量ダイオード１０４のアノード側をグランド側に接続している。また、可変容量ダイオード１０４とインダクタ１０２との間には直流カット用のコンデンサ１０４ａが挿入されている。
【００４３】
そして、インダクタ１０１と並列にインダクタ１０５とスイッチ１０６の直列接続体が接続されている。なお、このスイッチ１０６は、ＶＨＦローバンドを受信する場合オフとされ、ＶＨＦハイバンドを受信する場合オンとされる。
【００４４】
さらに、インダクタ１０５のスイッチ側はインダクタ１０７を介してグランドへ接続されている。そして可変容量ダイオード１０４の容量を変化させるために、可変容量ダイオード１０４のカソード側へ接続された制御端子１０８へ供給する制御電圧を変化させる。
【００４５】
そして、このように構成された単同調型フィルタ２１のインダクタ１０７とグランドとの間に可変容量ダイオード１１０を挿入し、トラップを構成している。また、可変容量ダイオード１１０とインダクタ１０７との間には直流カット用のコンデンサ１１０ａが挿入されている。この可変容量ダイオード１１０のカソード側端子へ抵抗１１２を介して制御端子１０８を接続することによって、可変容量ダイオード１１０の容量を変化させ、トラップのトラップ周波数が変化する。
【００４６】
なお、本実施の形態１においては、可変容量ダイオード１０４と制御端子１０８との間に抵抗１１１を挿入し、可変容量ダイオード１１０と制御端子１０８との間に抵抗１１２を挿入している。そしてこれらの抵抗１１１、１１２の値を適宜選定し、可変容量ダイオード１０４と可変容量ダイオード１１０の容量値が夫々に適した値となるような電圧となるようにしている。
【００４７】
さらに、本実施の形態１における各回路の定数は、インダクタ１０１が４００ｎＨ、インダクタ１０２が７０ｎＨ、インダクタ１０５が４０ｎＨであり、インダクタ１０７が４０ｎＨとしている。一方可変容量ダイオード１０４、１１０は制御電圧を１Ｖから２５Ｖまで変化させることによって、容量を６０ｐＦから３ｐＦまで変化させることができるものである。
【００４８】
ここで、電子チューナにおいてイメージ妨害が発生するメカニズムについて図３を用いて説明する。図３は、周波数と信号との関係を示す概念図である。図３において、横軸１４０は周波数を示し、縦軸１４１はレベルを示している。ここでは、米国におけるテレビ放送の２チャンネルを受信する場合を、一例として説明する。１４２は、希望チャンネルの信号であり、その周波数１４３は約５５．２５ＭＨｚである。１４４は、周波数可変局部発振器３０の発振信号であり、その発振周波数１４５は希望チャンネルの信号の周波数１４３よりも中間周波数１４６だけ高い周波数としている。この場合においては、中間周波信号１４７の周波数１４６は４５．７５ＭＨｚであるので、発振信号１４４の周波数１４５は１０１ＭＨｚとなる。そしてこの発振周波数１４５の発振信号１４４と周波数１４３を有した希望チャンネルの信号１４２とがミキサ２６によって混合され、それら信号の周波数差１４８である中間周波数１４６へ変換される。
【００４９】
次に、イメージ妨害信号１４９の発生について説明する。イメージ妨害信号１４９は、ミキサ２６によって発振信号１４４と混合されることによって中間周波信号１４７と同じ周波数に変換されるような信号によって発生するものである。つまりミキサ２６は、入力された２つ周波数の差の周波数を出力するものであるので、発振周波数１４５に対して周波数差１４８分だけ高い周波数１５０の信号も、中間周波信号１４７と同じ周波数である中間周波数１４６へ変換されることとなる。
【００５０】
そこで、このようにミキサ２６で変換されて、中間周波数１４６と同じ周波数のイメージ妨害信号１４９を発生する原因となる信号をイメージ１５１と呼び、本実施の形態１におけるイメージ１５１の周波数１５０は、１４６．７５ＭＨｚとなっている。
【００５１】
なお、このイメージ１５１は、この周波数１５０あるいはこの周波数１５０近傍に存在する放送信号がイメージとなる場合や、周波数１５０より高い周波数であって、その差の周波数差１５３が周波数１５０となるような複数個の放送信号１５４、１５５により生じる場合、あるいは逆に周波数１５０より低い周波数であって、その周波数の和が周波数１５０となるような複数個の放送信号１５６、１５７により生じる場合や、３つ以上の放送信号の和や差によって周波数１５０となる場合等もある。そしてこれらのイメージ妨害は、その受信帯域が非常に広帯域であるとともに、希望チャンネル信号１４２を発振周波数１４５よりも低い中間周波数１４６へ変換するテレビ放送受信用電子チューナにおいて問題となる。
【００５２】
では次に、このミキサ２６で生じるイメージ１５１を、本実施の形態１における入力フィルタが抑圧する動作について図４、図５及び図６を用いて説明する。図４は、実施の形態１における、入力フィルタの等価回路図であり、図５は、同入力フィルタのインピーダンス特性図であり、図６は、同入力フィルタの減衰特性図である。
【００５３】
まず、本実施の形態１における入力回路が、ＶＨＦローバンドを受信する場合の動作について説明する。図４（ａ）は、本実施の形態１における入力フィルタが、ＶＨＦローバンドを受信する場合の等価回路を示している。この場合、スイッチ１０６はオフとなるので、インダクタ１０１とインダクタ１０２とによって、等価インダクタ１６０を形成し、インダクタ１０５とインダクタ１０７とによって、等価インダクタ１６１を形成する。この場合等価インダクタ１６０は、４７０ｎＨ相当で、等価インダクタ１６１は８０ｎＨに相当することとなる。
【００５４】
従って、この入力フィルタ２１は、等価インダクタ１６０、等価インダクタ１６１と可変容量ダイオード１０４の容量とによる並列共振回路と、等価インダクタ１６１と可変容量ダイオード１１０の容量による直列共振回路のトラップ回路によって構成されることとなる。
【００５５】
次に、図５（ａ）は本実施の形態１における入力フィルタが、ＶＨＦローバンドを受信する場合のインピーダンスを示し、横軸１７０は周波数、縦軸１７１はインピーダンスである。また、図６（ａ）は、本実施の形態１における入力フィルタが、ＶＨＦローバンドを受信する場合の減衰特性を示し、横軸１９０には周波数、縦軸１９１には減衰量を取っている。
【００５６】
図５（ａ）において１７２は、入力フィルタの周波数に対するインピーダンス値の変化を示すカーブである。この入力フィルタのインピーダンスは、可変容量ダイオード１０４の容量によって入力フィルタ２１の同調周波数１７３より高くなるに従ってＣ成分からＬ成分へとインピーダンスは変化し、同調周波数１７３よりも高い特定の周波数１７４において直列共振による極１７５が生じる。この極１７５では、そのインピーダンスは０であるので、図６（ａ）に見られるように入力フィルタ２１は、周波数１７４において減衰量は大きくなる。
【００５７】
そこで本実施の形態１においては、その極１７５の周波数１７４を受信チャンネルのイメージの周波数となるように等価インダクタ１６１と可変容量ダイオードの容量１１０との定数を決めている。そして制御端子１０８に供給する電圧を変化させることによって、可変容量ダイオード１１０の容量を変化させる。これによって、図６（ａ）に示されるように極１７５の周波数１７４が受信チャンネルに応じて変化し、トラップの周波数が受信周波数に応じて変化することとなる。
【００５８】
なおカーブ１７６は、インダクタ１０７の出力がグランドに直結された場合のインピーダンスを示す。この図５（ａ）に示されるように、同調用並列共振周波数１７３より高い方向については、可変容量ダイオード１１０の容量によるインピーダンスの変化は大きくなる。しかし、可変容量ダイオード１１０の有無に係わらず、この入力フィルタ２１の同調用並列共振周波数１７３近傍でのインピーダンスの変化は小さい。従って、可変容量ダイオード１１０の容量を変化させても、共振周波数１７３近傍のインピーダンスは大きく変化しないこととなる。
【００５９】
次に、本実施の形態１における入力フィルタ２１が、ＶＨＦハイバンドを受信する場合の動作について説明する。図４（ｂ）は、本実施の形態１における入力フィルタが、ＶＨＦハイバンドを受信する場合の等価回路を示している。この場合、スイッチ１０６はオンとなるが、インダクタ１０１が４００ｎＨであり、インダクタ１０５が４０ｎＨであるので、インダクタ１０５側のインピーダンスが支配的となり、インダクタ１０１は無視して取り扱っても構わなくなる。
【００６０】
従って、この入力フィルタ２１は、インダクタ１０２、インダクタ１０７と可変容量ダイオード１０４の容量とによる並列共振回路と、インダクタ１０７と可変容量ダイオード１１０の容量による直列共振回路のトラップ回路を構成することとなる。なおこの場合、インダクタ１０５は入力端子２０の上流に接続されるアンテナ等の回路との整合用インダクタとして働く。従ってこの入力回路とアンテナ（入力回路の上流に接続された回路）等の回路との整合が取りやすく、信号のロスを小さくすることができる。
【００６１】
次に、図５（ｂ）は本実施の形態１における入力フィルタが、ＶＨＦハイバンドを受信する場合のインピーダンスを示し、横軸１７０は周波数、縦軸１７１はインピーダンスである。また、図６（ｂ）は、本実施の形態１における入力フィルタが、ＶＨＦハイバンドを受信する場合の減衰特性を示し、横軸１９０には周波数、縦軸１９１には減衰量を取っている。
【００６２】
図５（ｂ）において１８１は、入力フィルタ２１の周波数に対するインピーダンス値の変化を示すカーブである。この入力フィルタ２１のインピーダンスは、可変容量ダイオード１１０の容量によって同調用並列共振周波数１８２より低くなるに従ってＬ成分からＣ成分へとインピーダンスは変化し、同調周波数１８２よりも低い特定の周波数１８３において直列共振による極１８４が生じる。この極１８４では、そのインピーダンスは０であるので、図６（ｂ）に見られるように入力フィルタは、周波数１８３において減衰量は大きくなる。
【００６３】
そこで本実施の形態１においては、その極１８４の周波数１８３は、受信周波数の下側周波数のトラップとして働き、図６（ｂ）に示すように、可変容量ダイオード１１０の容量を変化させることによってこのトラップ周波数が変化する。
【００６４】
また、カーブ１８５は、可変容量ダイオード１７０の容量が無くインダクタ１０７が直接グランドに接続された場合のインピーダンスを示す。この図に示されるように、可変容量ダイオード１１０の有無に係わらず、この入力フィルタの共振周波数近傍でのインピーダンスの変化は小さい。つまり、同調用並列共振周波数より低い方向については、可変容量ダイオード１１０の容量によるインピーダンスの変化は大きくなる。従って、可変容量ダイオード１１０の容量を変化させても、同調用並列共振周波数近傍のインピーダンスは大きく変化せず、これによりこの入力回路を構成する単同調型フィルタの同調周波数自体やその近傍でのロスが大きくなることはない。
【００６５】
そして以上の構成によれば、入力フィルタにおいて減衰特性が悪くなりやすいＶＨＦローバンドの低い周波数に対するイメージ妨害の発生は防止することができるとともに、受信周波数受信信号が通過する経路にコンデンサを有さない構成としているので、高い周波数域での入力回路の減衰特性も悪くなることはない。さらに、コンデンサを有していないので同調型フィルタの同調周波数の高い側の周波数に対しての減衰特性も急峻とすることができる。従って、妨害信号等を充分に減衰することができるので、妨害に強い電子チューナを実現することができる。
【００６６】
また、ＶＨＦハイバンド受信時には受信信号の周波数よりも低い周波数にトラップが入ることとなるので、さらに妨害に強い電子チューナを実現することができる。
【００６７】
（実施の形態２）
以下、本実施の形態２について図面を用いて説明する。図７は、本発明の実施の形態２における入力フィルタの回路図であり、入力フィルタに固定イメージトラップが設けられたものである。
【００６８】
図７において、入力フィルタ２１ａは、入力端子２５０と、この入力端子２５０には、インダクタ２５１と、インダクタ２５２と、インダクタ２５４とがこの順に直列に接続されている。
【００６９】
そして、インダクタ２５４の出力の一方は出力端子２５５に接続され、インダクタ２５４の他方の出力とグランドとの間には、可変容量ダイオード２５６が挿入されている。なお、可変容量ダイオード２５６のアノード側をグランド側に接続している。
【００７０】
そして、インダクタ２５１とインダクタ２５２の直列接続体と並列に、インダクタ２５７とスイッチ２５８の直列接続体が挿入され、インダクタ２５７の出力とグランド間にインダクタ２５９が挿入されている。このスイッチ２５８は、ＶＨＦローバンドを受信する場合オフとし、ＶＨＦハイバンドを受信する場合オンとしている。
【００７１】
なお、この入力フィルタ２１ａの同調周波数は、可変容量ダイオード２５６の容量を変化させることで変化させている。つまり、可変容量ダイオード２５６のカソード側へ接続された制御端子２６０へ供給する制御電圧を受信チャンネルに応じて変化させてやればよい。なお、制御端子２６０と可変容量ダイオード２５６のカソード側との間には抵抗２６１が挿入されており、この抵抗値を適宜選定することによって、可変容量ダイオード２５６に供給される電圧値を設定し、その容量値を適宜設定することができるものである。さらに、インダクタ２５４と可変容量ダイオード２５６のカソード側との間には直流カット用のコンデンサ２６２が挿入されている。
【００７２】
そして本実施の形態においては、インダクタ２５２と並列にコンデンサ２５３を挿入することによって固定トラップを構成している。
【００７３】
なお、本実施の形態２における各回路の定数は、インダクタ２５１が４００ｎＨ、インダクタ２５２が６０ｎＨ、インダクタ２５４が７０ｎＨであり、インダクタ２５７が４０ｎＨ、インダクタ２５９を４０ｎＨとしている。一方可変容量ダイオード２５６は制御電圧を１Ｖから２５Ｖまで変化させることによって、容量を６０ｐＦから３ｐＦまで変化させている。
【００７４】
次にこの入力フィルタ２１ａの動作について、図８、図９及び図１０を用いて説明する。図８は、実施の形態２における、入力フィルタの等価回路図であり、図９は、同入力フィルタのインピーダンス特性図である。また、図１０は、同入力フィルタの減衰特性図である。
【００７５】
まず、本実施の形態２における入力フィルタ２１ａが、ＶＨＦローバンドを受信する場合の動作について説明する。図８（ａ）は、本実施の形態２における入力フィルタが、ＶＨＦローバンドを受信する場合の等価回路を示している。この場合、スイッチ２５８はオフとなるので、インダクタ２５１とインダクタ２５４とによって、等価インダクタ２７０を形成し、インダクタ２５７とインダクタ２５９とによって、等価インダクタ２７１を形成する。この場合、等価インダクタ２７０は、４７０ｎＨ相当で、等価インダクタ２７１は８０ｎＨに相当することとなる。
【００７６】
従って、この入力フィルタは、等価インダクタ２７０、等価インダクタ２７１と可変容量ダイオード２５６の容量と、インダクタ２５２による並列共振回路と、インダクタ２５２とコンデンサ２５３による固定トラップ回路から構成されることとなる。
【００７７】
次に、図９（ａ）は本実施の形態２における入力フィルタ２１ａが、ＶＨＦローバンドを受信する場合のインピーダンスを示し、横軸２８０は周波数、縦軸２８１はインピーダンスである。また、図１０（ａ）は、本実施の形態２における入力フィルタが、ＶＨＦローバンドを受信する場合の減衰特性を示し、横軸３００には周波数、縦軸３０１には減衰量を取っている。
【００７８】
図９（ａ）において２８２は、入力フィルタ２１ａの周波数に対するインピーダンス値の変化を示すカーブである。この入力フィルタのインピーダンスは、コンデンサ２５３の容量によって同調用並列共振周波数２８３より高くなるに従ってＣ成分からＬ成分へとインピーダンスは変化し、同調周波数２８３よりも高い特定の周波数２８４において極２８５が生じる。この極２８５では、そのインピーダンスは０であるので、図１０（ａ）に見られるように入力フィルタは、周波数２８４において減衰量は大きくなる。
【００７９】
そこで本実施の形態２においては、その周波数２８４をＶＨＦローバンドの略中心のチャンネルに対するイメージの周波数となるように、それぞれの定数を決めている。
【００８０】
しかしながら、ＶＨＦローバンド受信時のイメージの周波数はＶＨＦハイバンドの周波数帯域内にある。つまり、本実施の形態２における固定トラップのトラップ周波数２８４は、ＶＨＦハイバンドの周波数帯域内となる。従って、ＶＨＦハイバンド受信時にもこのトラップが作動すると、トラップ周波数２８４近傍のチャンネルはこの固定トラップによって減衰してしまうので、受信できないこととなる。
【００８１】
そのため、本実施の形態２における入力フィルタ２１ａにおいては、ＶＨＦハイバンドを受信する場合は、スイッチ２５８をオンとすることによって、第２のインダクタ２８２とコンデンサ２５３によるトラップ回路を動作しないようにするものである。
【００８２】
以降、本実施の形態２における入力フィルタ２１ａにおいて、ＶＨＦハイバンドを受信する場合の動作を図を用いて説明する。図８（ｂ）は、本実施の形態２における入力フィルタ２１ａが、ＶＨＦハイバンドを受信する場合の等価回路を示している。本実施の形態２においては、インダクタ２５１が４００ｎＨであり、インダクタ２５７が４０ｎＨであるので、インダクタ２５７側のインピーダンスが支配的となる。その場合、あたかもインダクタ２５１やインダクタ２５２、コンデンサ２５３は無視して取り扱うことができる。
【００８３】
従って、この入力フィルタ２１ａは、インダクタ２５９と、インダクタ２５７と、インダクタ２５４と、可変容量ダイオード２５６の容量とからなる並列共振回路のみを有した構成となる。つまりこの場合には、トランプ回路が働かないので、ＶＨＦハイバンド受信時には、図９（ｂ）に示されるように極を持たない。従って図１０（ｂ）に示されるように特定周波数に対して減衰するトラップはかからず、ＶＨＦハイバンド受信時に、固定トラップにより影響はほとんど生じない。
【００８４】
以上のように本実施の形態２における電子チューナの入力回路においては、ＶＨＦローバンド受信時にイメージ妨害を改善することができる。そして、キャパシタとインダクタ２５４が並列接続されており、その前後はインダクタのみによって構成されている。つまり受信信号が通過する経路にはコンデンサを有さないでＶＨＦローバンドのイメージ周波数に対するトラップを構成しているので、高い周波数域での入力回路の減衰特性が悪くなることはない。さらに、コンデンサを有していないので同調型フィルタの同調周波数の高い側の周波数に対しての減衰特性も急峻とすることができる。従って、妨害信号等を充分に減衰することができるので、妨害に強い電子チューナを実現することができる。
【００８５】
（実施の形態３）
以下、本実施の形態３における電子チューナの入力回路について詳細に説明する。図１１は、本実施の形態３における入力回路の回路図である。図１１において、４００は入力端子であり、４０１はこの入力端子４００に接続されたインダクタである。
【００８６】
４０２はインダクタ４０１の出力が接続されたインダクタであり、このインダクタ４０２の出力は出力端子４０３に接続され、さらにこのインダクタ４０２の出力とグランドとの間には、可変容量ダイオード４０４が挿入されている。なお、可変容量ダイオード４０４のアノード側をグランド側に接続し、可変容量ダイオード４０４とインダクタ４０２との間には直流カット用のコンデンサ４０４ａが挿入されている。
【００８７】
そして、インダクタ４０１と並列にインダクタ４０５とスイッチ４０６の直列接続体が接続されている。なお、こｎスイッチ４０６は、ＶＨＦローバンドを受信する場合オフとされ、ＶＨＦハイバンドを受信する場合オンとされる。
【００８８】
さらに、インダクタ４０５の出力とグランド間には、インダクタ４０７が挿入されている。また可変容量ダイオード４０４の容量を変化させるために、可変容量ダイオード４０４のカソード側へ接続された制御端子４０８へ供給する制御電圧を変化させる。
【００８９】
そして、このように構成された単同調型フィルタ４０９のインダクタ４０５とインダクタ４０７との間に第２の可変容量ダイオード４１０を挿入することによって、トラップを構成する。なおここで、この可変容量ダイオード４１０のカソード側端子へ制御端子４０８を接続することによって、可変容量ダイオード４１０の容量を変化させ、入力フィルタ２１ａのトラップ周波数を変化させている。
【００９０】
なお、本実施の形態１においては、可変容量ダイオード４０４と制御端子４０８との間に抵抗４１１を挿入し、可変容量ダイオード４１０と制御端子４０８との間に抵抗４１２を挿入している。そしてこれらの抵抗４１１、４１２の値を適宜選定し、可変容量ダイオード４０４と可変容量ダイオード４１０の容量値が夫々に適した値となるような電圧としている。
【００９１】
なお、本実施の形態３における各回路の定数は、インダクタ４０１が４００ｎＨ、インダクタ４０２が７０ｎＨ、インダクタ４０５が３０ｎＨであり、インダクタ４０７が２０ｎＨとしている。一方可変容量ダイオード４０４、４１０は制御電圧を１Ｖから２５Ｖまで変化させることによって、容量を６０ｐＦから３ｐＦまで変化させている。
【００９２】
では次に、ミキサで生じるイメージ１５１を、本実施の形態３における入力フィルタが抑圧する動作について図１２、図１３及び図１４を用いて説明する。図１２は、実施の形態３における、入力フィルタの等価回路図であり、図１３は、同入力フィルタのインピーダンス特性図であり、図１４は、同入力フィルタの減衰特性図である。
【００９３】
まず、本実施の形態３における入力回路が、ＶＨＦローバンドを受信する場合の動作について説明する。図１２（ａ）は、本実施の形態３における入力フィルタが、ＶＨＦローバンドを受信する場合の等価回路を示している。この場合は、スイッチ４０６はオフとなるので、実施の形態１と同じ等価回路となる。従って、インダクタ４０１とインダクタ４０２とによって、等価インダクタ４２０を形成し、インダクタ４０５とインダクタ４０７とによって、等価インダクタ４２１が形成される。この場合、等価インダクタ４２０は、４７０ｎＨ相当であり、等価インダクタ４２１は５０ｎＨに相当することとなる。
【００９４】
従って、この入力フィルタ２１ｂは、等価インダクタ４２０、等価インダクタ４２１と可変容量ダイオード４０４の容量とによる並列共振回路と、等価インダクタ４２１と可変容量ダイオード４１０の容量による直列共振回路のトラップ回路によって構成されることとなる。
【００９５】
次に、図１３（ａ）は本実施の形態３における入力フィルタ２１ｂが、ＶＨＦローバンドを受信する場合のインピーダンスを示し、横軸４３０は周波数、縦軸４３１はインピーダンスである。また、図１４（ａ）は、本実施の形態３における入力フィルタが、ＶＨＦローバンドを受信する場合の減衰特性を示し、横軸４５０には周波数、縦軸４５１には減衰量を取っている。
【００９６】
図１３（ａ）において４３２は、入力フィルタ２１ｂの周波数に対するインピーダンス値の変化を示すカーブである。この入力フィルタ２１ｂのインピーダンスは、可変容量ダイオード４１０の容量によって、同調型フィルタ４０９の同調周波数４３３より高くなるに従ってＣ成分からＬ成分へとインピーダンスは変化し、同調周波数４３３よりも高い特定の周波数４３４において直列共振による極４３５が生じる。この極４３５では、そのインピーダンスは０であるので、図１４（ａ）に見られるように入力フィルタ２１ｂは、周波数４３４において減衰量は大きくなる。
【００９７】
そこで本実施の形態３においては、その極４３５の周波数４３４を受信チャンネルのイメージの周波数となるように等価インダクタ４２１と可変容量ダイオードの容量４１０との定数を決めている。そして制御端子４０８に供給する電圧を変化させることによって、可変容量ダイオード４１０の容量を変化させる。これによって、図１４（ａ）に示されるように極４３５の周波数が受信チャンネルに応じて変化し、トラップの周波数が受信周波数に応じて変化することとなる。
【００９８】
なおカーブ４３６は、インダクタ４０５の出力とインダクタ４０７の入力とが直結された場合、つまり可変容量ダイオード４１０が短絡された状態のインピーダンスを示す。この図１３（ａ）に示されるように、同調用並列共振周波数４３３より高くなるにつれて、可変容量ダイオード４１０の容量によるインピーダンスの変化が大きくなる。しかし可変容量ダイオード４１０の有無に係わらず、この入力フィルタ２１ｂの同調用並列共振周波数４３３近傍でのインピーダンスの変化は小さい。従って、可変容量ダイオード４１０の容量を変化させても、共振周波数４３３近傍のインピーダンスは大きく変化しないこととなる。
【００９９】
次に、本実施の形態３における入力フィルタ２１ｂが、ＶＨＦハイバンドを受信する場合の動作について説明する。図１２（ｂ）は、本実施の形態３における入力フィルタが、ＶＨＦハイバンドを受信する場合の等価回路を示している。この場合、スイッチ４０６はオンとなるが、インダクタ４０１が４００ｎＨであり、インダクタ４０５が３０ｎＨであるので、インダクタ４０５側のインピーダンスが支配的となり、インダクタ４０１は無視して取り扱っても構わなくなる。
【０１００】
従って、この入力フィルタ２１ｂは、インダクタ４０２、インダクタ４０７と第１の可変容量ダイオード４０４の容量とによる並列共振回路が形成され、さらにこの並列共振回路へ可変容量ダイオード４１０の容量を付加されたことによりトラップ回路が形成されることとなる。なおこの場合、インダクタ４０５は入力端子４００の上流に接続されるアンテナ等の回路との整合用インダクタとして働く。従ってこの入力回路とアンテナ（入力回路の上流に接続された回路）等の回路との整合が取りやすく、信号のロスを小さくすることができる。
【０１０１】
次に、図１３（ｂ）は本実施の形態３における入力フィルタが、ＶＨＦハイバンドを受信する場合のインピーダンスを示し、横軸４４０は周波数、縦軸４４１はインピーダンスである。また、図１４（ｂ）は、本実施の形態３における入力フィルタが、ＶＨＦハイバンドを受信する場合の減衰特性を示し、横軸４６０には周波数、縦軸４６１には減衰量を取っている。
【０１０２】
図１３（ｂ）において４４２は、入力フィルタ２１ｂの周波数に対するインピーダンス値の変化を示すカーブである。この入力フィルタ２１ｂのインピーダンスは、可変容量ダイオード４１０の容量によって、同調用並列共振周波数４４３より低くなるに従ってＬ成分からＣ成分へとインピーダンスは変化し、同調周波数４４３よりも低い特定の周波数４４４において直列共振による極４４５が生じる。この極４４５では、そのインピーダンスは０であるので、図１４（ｂ）に見られるように入力フィルタは、周波数４４４において減衰量は大きくなる。
【０１０３】
そこで本実施の形態３においては、その極４４５の周波数４４４をＶＨＦローバンド帯としておくことによって、ＶＨＦローバンドの放送信号による妨害を抑圧するトラップとして働く。さらに、図１４（ｂ）に示すように、可変容量ダイオード４１０の容量を変化させることによってこのトラップ周波数が変化する。
【０１０４】
また、カーブ４４６は、インダクタ４０５の出力と第４のインダクタ４０７の入力とが直接に接続された場合、つまり可変容量ダイオード４１０が無い場合のインピーダンスを示す。この図に示されるように、同調用並列共振周波数より低くなるに従い、可変容量ダイオード４１０に容量によるインピーダンスの変化は大きくなる。しかし可変容量ダイオード４１０の有無に係わらず、この入力フィルタの共振周波数近傍でのインピーダンスの変化は小さい。従って、可変容量ダイオード４１０の容量を変化させても、同調用並列共振周波数近傍のインピーダンスは大きく変化せず、これによりこの入力回路を構成する単同調型フィルタの同調周波数自体やその近傍でのロスが大きくなることはない。また、可変容量ダイオード４１０単体のインピーダンスは周波数が大きくなるに従って小さくなる。しかし、第２のインダクタ４０２や第３のインダクタ４０５などインダクタは、周波数が高くなるに従いそのインピーダンスは大きくなる。ここで、本実施の形態３においては可変容量ダイオード４１０に第２のインダクタ４０２や第３のインダクタ４０５を直列に接続し、ＵＨＦ帯の高い周波数に対して、インピーダンスが大きくなるようにしている。
【０１０５】
そして以上の構成によれば、入力フィルタにおいて減衰特性が悪くなりやすいＶＨＦローバンドの低い周波数に対するイメージ妨害の発生は防止することができるとともに、受信信号が通過する経路にはコンデンサのみで構成された経路を有さない構成としているので、ＵＨＦ帯などの高い周波数域での入力回路の減衰特性も悪くなることはない。さらに、ＶＨＦハイバンドの放送受信時に妨害となりうるＶＨＦローバンドの放送信号を抑圧することができる。従って、妨害信号等を充分に減衰することができるので、妨害に強い電子チューナを実現することができる。
【０１０６】
【発明の効果】
以上のように本発明によれば、第３のインダクタにはキャパシタが直列に接続され、スイッチをオフとした場合には同調型フィルタの共振周波数はＶＨＦローバンドの周波数とするとともに少なくともキャパシタと前記第３のインダクタとによって形成されるトラップのトラップ周波数を前記同調型フィルタの共振周波数より高くし、前記スイッチをオンとした場合には前記同調型フィルタの共振周波数はＶＨＦハイバンドの周波数とするとともに前記キャパシタによって形成されるトラップのトラップ周波数を前記同調型フィルタの共振周波数よりも低い周波数としたものである。
【０１０７】
これにより、受信信号が通過する経路にはコンデンサ単独で構成された経路を有さないでトラップが構成されているので、ＵＨＦ帯などの高い周波数域での入力回路の減衰特性が悪くなることはない。従って、妨害信号等を充分に減衰することができるので、妨害に強い電子チューナを実現することができる。
【０１０８】
また、ＶＨＦハイバンド受信時には受信信号の周波数よりも低い周波数にトラップが入ることとなるので、さらに妨害に強い電子チューナを実現することができる。
【図面の簡単な説明】
【図１】本発明の実施の形態１における電子チューナにおける入力回路の回路図
【図２】本発明の実施の形態１における電子チューナの入力回路を用いた高周波受信装置のブロック図
【図３】同、希望信号とイメージ妨害信号との位相の関係を示した図
【図４】同、等価回路図
【図５】同、インピーダンス特性図
【図６】同、減衰特性図
【図７】本実施の形態２における電子チューナにおける入力回路の回路図
【図８】同、等価回路図
【図９】同、インピーダンス特性図
【図１０】同、減衰特性図
【図１１】本実施の形態３における電子チューナにおける入力回路の回路図
【図１２】同、等価回路図
【図１３】同、インピーダンス特性図
【図１４】同、減衰特性図
【図１５】従来の入力回路の回路図
【図１６】同、減衰特性図
【符号の説明】
２０  入力端子
２１  入力フィルタ
２３  フィルタ
２６  ミキサ
３０  周波数可変局部発振器
３３  出力端子
【図１】
2004357174.tif 000003
【図２】
2004357174.tif 000004
【図３】
2004357174.tif 000005
【図４】
2004357174.tif 000006
【図５】
2004357174.tif 000007
【図６】
2004357174.tif 000008
【図７】
2004357174.tif 000009
【図８】
2004357174.tif 000010
【図９】
2004357174.tif 000011
【図１０】
2004357174.tif 000012
【図１１】
2004357174.tif 000013
【図１２】
2004357174.tif 000014
【図１３】
2004357174.tif 000015
【図１４】
2004357174.tif 000016
【図１５】
2004357174.tif 000017
【図１６】
2004357174.tif 000018